(57)【特許請求の範囲】
【請求項１】
眉毛カット用の刃で眉の形を整える電気かみそり本体と、該電気かみそり本体の端部に設けられ所望の眉の形を描く描線手段とを備えてなることを特徴とする眉毛用電気かみそり。
【請求項２】
前記描線手段は、電気かみそり本体の刃の近傍に設けられていることを特徴とする請求項１記載の眉毛用電気かみそり。
【発明の詳細な説明】
【０００１】
【発明の属する技術分野】
本発明は、眉の形を整えるために用いる眉毛用電気かみそりに関するものである。
【０００２】
【従来の技術】
従来より、眉毛カットのための電気かみそりとして顔剃り用の電気かみそりが用いられており、その一例を図７に示す。刃51は、刃先部が櫛歯状の固定刃と、固定刃に対して往復摺動される刃先部が櫛歯状の可動刃とからなり、把持部52の一端に設けられたヘッド部53の側面に配されている。この電気かみそりは、主に、顔の産毛や襟足の毛のカットに使用されるものであるが、この電気かみそりを用いて眉の形を整えるにあたっては、眉ペンシルやブラシ等の描線手段で所望の眉の形を描き、その描いた線からはみ出した眉毛をカットするのが一般的である。
【０００３】
【発明が解決しようとする課題】
しかしながら、眉の形を整える場合には、電気かみそりと描線手段とを持ちかえながら両者を使用するために不便であった。
【０００４】
本発明は、このような点に鑑みなされたものであり、その目的とするところは、電気かみそりと描線手段とを持ちかえる不便さを取り除き、楽に眉の形を整えることができる眉毛用電気かみそりを提供することにある。
【０００５】
【課題を解決するための手段】
前記目的を達成するために、請求項１記載の眉毛用電気かみそりは、眉毛カット用の刃で眉の形を整える電気かみそり本体と、該電気かみそり本体の端部に設けられ所望の眉の形を描く描線手段とを備えた構成としている。この構成によれば、電気かみそり本体と描線手段とが別々であるものに比べて、両者を持ちかえる不便さがなく、楽に眉の形を整えることができる。
【０００６】
また、請求項２記載の眉毛用電気かみそりは、請求項１記載のものにおいて、描線手段が、電気かみそり本体の刃の近傍に設けられていることを特徴としている。この構成によれば、描線手段が電気かみそり本体の刃から離れた位置に設けられているものに比べて、描線手段の使用時と刃の使用時とにおける握りかえの動作を極力小さくすることができる。
【０００８】
【発明の実施の形態】
本発明の一実施形態を図１乃至図６に基づいて説明する。本実施形態の眉毛用電気かみそりは、電気かみそり本体1 の端部に描線手段2 を設けた構成としている。
【０００９】
電気かみそり本体1 は、その内部にモ─タ（図示せず）を収容した大略筒状の把持部3 と、把持部3 の一端に連結されたヘッド部4 と、ヘッド部4 の斜め上方を向いた側縁に位置するように配された刃5 とを備えている。
【００１０】
ヘッド部4 は、ホルダー6,7 内に、モータの回転運動を往復運動に変換する変換機構を組み込むとともに、ホルダー6 の先端部の片面に刃5 を備えた刃基台8 を取り付けることで構成されたもので、上記変換機構は、モータの出力軸に取り付けられた継手（図示せず）に係合するカプラー9 と、カプラー9 に取り付けられたギア10と、軸11によって回転自在に支持されるとともに上記ギア10に噛み合うフェースギア12と、フェースギア12に一体に設けられた偏心軸13と、一端を偏心軸13に係合させた駆動レバー14とからなるものであり、駆動レバー14はその端部に係合部15を備えている。図中16は内部にカプラー9 が挿通される筒体である。
【００１１】
刃基台8 は、刃5 を構成する櫛歯状の固定刃17及び同じく櫛歯状の可動刃18のうち、固定刃17を固着するとともに可動刃18をスライド自在に支持しているもので、ホルダー6 の先端部に設けられた軸19によってホルダー6 に枢着されるとともに、ホルダー7 にスライド自在に装着された着脱釦20によって固定されている。
【００１２】
可動刃18には、刃基台8 をホルダー6 に固着したときに駆動レバー14の係合部15に係合する係合部21が設けられており、係合部15と係合部21との係合により可動刃18と駆動レバー14とが連結され、この状態においてモータを駆動した場合には、偏心軸13の回転が駆動レバー14により往復動に変換され、その結果、可動刃18が往復運動するようになる。
【００１３】
2 は眉ペンシルの芯材等からなる描線手段であり、描線手段2 の基端に設けた鍔部2aをホルダー6 の先端部に設けた支持部22と刃基台8 の先端部に設けた支持部23とで挟んで支持されており、この支持された状態において、刃5 の近傍でかつ可動刃18の往復動方向の延長上に位置することとなる。また、この描線手段2 は、刃基台8 をホルダー6 の軸19を中心に回動して、刃基台8 及びホルダー6 の内部を開放状態にしたとき、取り外しが可能となる。
【００１４】
次に、この眉毛用電気かみそりの一使用方法について図５及び図６に基づいて説明する。まず、図５に示すように描線手段2 により所望の眉の輪郭線Ａを描き、次に、図６に示すように輪郭線Ａからはみ出た眉毛Ｂを刃5 でカットする。このとき、電気かみそり本体1 と描線手段2 とが別々であるものに比べて、両者を持ちかえることなく作業できる。
【００１５】
以上より、本実施形態の眉毛用電気かみそりは、電気かみそり本体1 と描線手段2 とが別々であるものに比べて、両者を持ちかえる不便さがなく、楽に眉の形を整えることができる。
【００１６】
また、本実施形態の眉毛用電気かみそりは、描線手段2 が電気かみそり本体1 の刃5 から離れた位置に設けられているものに比べて、描線手段2 の使用時と刃の使用時とにおける握りかえの動作を極力小さくすることができる。
【００１７】
また、本実施形態の眉毛用電気かみそりは、描線手段2 が使用不能になった場合、着脱釦20により刃基台8 の固定を解除し、刃基台8 をホルダー6 の軸19を中心に回動し、刃基台8 及びホルダー6 の内部を開放状態にすることで、描線手段2 を交換することができる。
【００１８】
なお、本実施形態では、描線手段2 を眉ペンシルの芯材等からなるものとしたが、この他の例として、描線手段2 をブラシとしてもよい。
【００１９】
また、本実施形態では、描線手段２を刃５の近傍に設けたが、この他の例として、描線手段２を把持部３の他端すなわちヘッド部４とは反対側の端部に設けてもよい。
【００２０】
また、本実施形態では、刃基台8 に取り付けられる刃5 を固定刃17及び可動刃18で構成したが、この他の例として、髭剃り用の電気かみそりのように、多数の刃孔を有した薄板状の外刃と、この外刃の内面に摺接する内刃とで構成してもよい。
【００２１】
【発明の効果】
請求項１記載の眉毛用電気かみそりは、電気かみそり本体と描線手段とが別々であるものに比べて、両者を持ちかえる不便さがなく、楽に眉の形を整えることができる。
【００２２】
請求項２記載の眉毛用電気かみそりは、請求項１記載の効果に加え、描線手段が電気かみそり本体の刃から離れた位置に設けられているものに比べて、描線手段の使用時と刃の使用時とにおける握りかえの動作を極力小さくすることができる。
【図面の簡単な説明】
【図１】本発明の一実施形態の要部斜視図である。
【図２】その他方向からみた要部斜視図である。
【図３】そのヘッド部の内部構造を示す要部分解斜視図である。
【図４】そのヘッド部の断面図である。
【図５】その描線手段使用時における状態図である。
【図６】その刃使用時における状態図である。
【図７】一従来例を示す要部斜視図である。
【符号の説明】
1  電気かみそり本体
2  描線手段
5  刃
【図１】
0003728834.tif 000002
【図２】
0003728834.tif 000003
【図３】
0003728834.tif 000004
【図４】
0003728834.tif 000005
【図５】
0003728834.tif 000006
【図６】
0003728834.tif 000007
【図７】
0003728834.tif 000008